(57)【特許請求の範囲】
【請求項１】
天井に凸設された火災感知器を覆い隠すとともに、繰り返し着脱可能な保護カバーであって、
前記天井に面した開口部及び前記火災感知器の外形よりも大きい収納容積を有し、前記火災感知器の下方に少なくともこの火災感知器よりも大きい隙間を前記収納容積に包含したカップと、
前記開口部の内周に固定され、前記火災感知器の外周形状に倣って扁平する柔軟性を有し、前記火災感知器と摩擦係合する発泡プラスチックと
を備えることを特徴とする保護カバー。
【請求項２】
前記発泡プラスチックは、前記開口部と前記火災感知器の外周との間を密封することを特徴とする請求項１に記載の保護カバー。
【請求項３】
前記発泡プラスチックは、前記火災感知器に装着されていない状態において波状に形成された内周面を有し、前記火災感知器に装着された状態において前記開口部と前記火災感知器の外周との間を密封するように該内周面が変形することを特徴とする請求項１又は２に記載の保護カバー。
【請求項４】
前記発泡プラスチックは、前記開口部と四角柱状の火災感知器の外周との間を密封する矩形の内周面を有することを特徴とする請求項１又は２に記載の保護カバー。
【請求項５】
天井に凸設された火災感知器を覆い隠すとともに、繰り返し着脱可能な保護カバーであって、
前記天井に面した開口部及び前記火災感知器の外形よりも大きい収納容積を有したカップと、
前記開口部の内周に固定され、前記火災感知器の外周形状に倣って扁平する柔軟性を有し、前記火災感知器と摩擦係合する発泡プラスチックと、
前記カップの底部に取り付けられ、前記カップの外に向けて発光する光源と、
前記光源の発光パターンを制御する制御部と、
前記光源及び前記制御部に接続された電源と
を備えることを特徴とする保護カバー。
【請求項６】
前記制御部は、光センサーと連動して前記光源を点滅させることを特徴とする請求項５項に記載の保護カバー。
【発明の詳細な説明】
【技術分野】
【０００１】
本発明は、建物の内装工事や改修工事の期間中に、火災感知器を覆い隠す保護カバーに関する。
【背景技術】
【０００２】
天井に設置された火災感知器の近くで内装工事や改修工事のためにガス切断や溶接あるいはグラインダ作業を行う場合、作業に伴い大量の粉塵が発生する。火災感知器の内部に粉塵やヒューム、燃焼ガスが侵入すると、火災感知器が誤作動を起こしたり、火災感知器の検出感度が低下する等の故障の原因にもなる。そのため、上述のような作業をする場合に火災感知器を一時的に覆い隠す保護カバーが提案されている（例えば、特許文献１乃至特許文献４）。
【０００３】
特許文献１に開示された火報感知器カバーは、カップ状のカバーの口部に合成樹脂又は金属の係止片を装着し、係止片の先端を火報感知器のケーシングと天井面との隙間に挿入させて、カバーを火報感知器と係合させている。
【０００４】
特許文献２に開示された感知器カバーでは、感知器に外筒部を遊嵌し、外筒部の内側面及び内底面に空気袋を設けている。感知器カバーは、空気袋の内部に封入された空気の圧力で感知器に保持される。感知器カバーを取り外すには、空気袋に穴を開けて空気を流出させ、自重により落下させる。
【０００５】
特許文献３に開示された煙感知器の保護カバーは、シート状あるいはフィルム状のカバーから煙感知機の筐体の外形に合わせてバキューム成形によって作られ、保護カバーを煙感知機の外周面に密着するように装着させている。特許文献４に開示された防塵カバーは、防塵カバーの上縁を感知器器体の上縁に係止させることで取り付けられている。
【先行技術文献】
【特許文献】
【０００６】
【特許文献１】実開平３−７８３９３号公報
【特許文献２】特開平９−１４７２５９号公報
【特許文献３】実開昭５２−３２３７７号公報
【特許文献４】実開昭５２−８６４８８号公報
【発明の概要】
【発明が解決しようとする課題】
【０００７】
ところで、火災感知器は天井等の高所に設置されている。そのため、火災感知器を養生する又は保護カバーを取り付ける場合、脚立等が必要になる。天井が高くなると、脚立の上で両手作業は危険であるので安全対策が必須である。また、専用の足場を組み立てるには工期とコストが掛かり過ぎる。
【０００８】
以上のことを考慮すると、特許文献１に記載された防塵カバーでは、火報感知器のケーシングと天井面との間に係止片を挿入するためには両手で作業しなければならない。火報感知器のケーシングと天井面との間に隙間がない場合、係止片を挿入することもできない。
【０００９】
特許文献２に記載された感知器カバーは、部品点数が多く構造が複雑でありコストが嵩む。また、感知器から取り外すために空気袋に穴を開けてしまうので、再利用できなくなってしまう。特許文献３及び特許文献４に記載された保護カバーは、いずれも工場出荷の梱包容器の一部として作られているため、火災感知器と密着するように略同一形状に成形されている。したがって、これらのカバーは、異なる形状の火災感知器や既設の火災感知器に流用できない。また、保護カバーと火災感知器との間に隙間がほとんどないので、熱の影響を受けやすく、また、溶接やガス切断のスパッタが飛散した場合あるいは工具や建材を当ててしまった場合等、特許文献３及び特許文献４の保護カバーでは、火災感知器を保護しきれない。
【００１０】
以上のように、特許文献１に記載された防塵カバーは、既設の種々の火災感知器に装着して利用できるものの、高所作業に安全対策が必要となる。一方、特許文献２から特許文献４に記載された保護カバーは、工場出荷の梱包材として火災感知器に装着される専用部品である。各メーカーで形状が異なる火災感知器に流用できるものではない。
【００１１】
そこで、本発明は、簡素な構成でありながら種々の火災感知器に装着できる汎用性を備え、再利用可能であるとともに、取り付け及び取り外し作業を片手で行える保護カバーを提供する。
【課題を解決するための手段】
【００１２】
本発明の保護カバーは、天井に凸設された火災感知器を覆い隠すとともに繰り返し着脱可能な保護カバーであって、カップと、発泡プラスチックとを備えている。カップは、天井に面した開口部及び火災感知器の外形よりも大きい収納容積を有しており、この収納容積には、火災感知器の下方に少なくともこの火災感知器よりも大きい隙間を包含する。発泡プラスチックは、開口部の内周に固定され、火災感知器の外周形状に倣って扁平する柔軟性を有し、火災感知器と摩擦係合する。
【００１３】
このとき、発泡プラスチックは、開口部と火災感知器の外周との間を密封してもよい。発泡プラスチックは、火災感知器に装着されていない状態において波状に形成された内周面を有し、火災感知器に装着された状態において開口部と火災感知器の外周との間を密封するように該内周面が変形する。あるいは、開口部と四角柱状の火災感知器の外周との間を密封するために矩形の内周面を有してもよい。また、本発明の他の実施形態の保護カバーは、天井に凸設された火災感知器を覆い隠すとともに、繰り返し着脱可能な保護カバーであって、カップと、発泡プラスチックと、光源と、制御部と、電源とを備えている。カップは、天井に面した開口部及び火災感知器の外形よりも大きい収納容積を有している。発泡プラスチックは、開口部の内周に固定され、火災感知器の外周形状に倣って扁平する柔軟性を有し、火災感知器と摩擦係合する。光源は、カップの底部に取り付けられ、カップの外に向けて発光する。制御部は、光源の発光パターンを制御する。電源は、光源及び制御部に接続される。このとき、制御部は、光センサーと連動して光源を点滅させてもよい。
【発明の効果】
【００１４】
本発明の保護カバーによれば、カップと弾性部材という簡素な構成だけで火災感知器を覆い隠すことができる。弾性部材が種々の火災感知器の外形に対応して変形可能であるため、種々の火災感知器に装着できる汎用性を備える。さらに、弾性部材がカップの開口部に固定されており、カップを回しながら天井に向かって押し上げるだけで火災感知器に容易に装着することができる。保護カバーを保持する手段は、弾性部材の摩擦係合によるものであるため、摩擦力を超える力で引っ張るだけで容易に取り外すこともできる。しかも、弾性部材の形状は、弾性力によって復元するので繰り返し使用することができる。また、カップが火災感知器よりも大きく両者の間に十分な隙間が確保される。そのため、溶接やガス切断のスパッタがカップに当たっても、火災感知器の外周を損傷から保護することができる。
【００１５】
また、弾性部材が開口部と火災感知器の外周との間を密封すれば、粉塵が火災感知器に侵入することをより確実に防止することができる。また、弾性部材が発泡プラスチックであれば、安価な構成で保護カバーを提供できる。また、カップから垂れ下がった紐をさらに備える保護カバーによれば、紐を引っ張って保護カバーをより容易に取り外すことができる。しかも、紐が人目を引くため、施工後に保護カバーを取り外し忘れることを防止できる。あるいは、カップの外に向けて発光する光源をさらに備える保護カバーによれば、光源が人目を引くため、施工後に保護カバーを取り外し忘れることを防止できる。また、カップが蓄光材料又は蛍光材料で形成されていれば、着色されたカップが人目を引くため、施工後に保護カバーを取り外し忘れることを防止できる。
【図面の簡単な説明】
【００１６】
【図１】本発明に係る第１の実施形態の保護カバーを示す斜視図。
【図２】図１に示された保護カバーを火災感知器に装着した断面図。
【図３】図１に示された保護カバーを示し、（Ａ）は保護カバーの断面図、（Ｂ）は当該保護カバーを火災感知器に装着した断面図。
【図４】図１に示された保護カバーの取り付け作業を示す図。
【図５】本発明に係る第２の実施形態の保護カバーを示し、（Ａ）は保護カバーの断面図、（Ｂ）は当該保護カバーを火災感知器に装着した断面図。
【図６】本発明に係る第３の実施形態の保護カバーを示し、（Ａ）は保護カバーの断面図、（Ｂ）は当該保護カバーを火災感知器に装着した断面図。
【図７】本発明に係る第４の実施形態の保護カバーを示す正面図。
【図８】本発明に係る第５の実施形態の保護カバーを示す斜視図。
【発明を実施するための形態】
【００１７】
本発明に係る第１の実施形態の保護カバー１０について、図１から図４を参照して説明する。火災感知器２は、図１に示すように、天井１から突出するように設置されている。保護カバー１０は、火災感知器２を覆い隠すように下方から装着される。弾性部材１２の内径Ｒ１は火災感知器２の外径Ｒ２よりも小さく、弾性部材１２が火災感知器２に押し広げられて変形する。
【００１８】
火災感知器に装着された保護カバー１０は、図２に示す。保護カバー１０は、カップ１１と、弾性部材１２とを備えている。カップ１１は、硬質のプラスチックから形成され、円筒状の胴部２２と、胴部２２の一端に形成され天井１に面した開口部２１と、胴部２２の他端に形成された底部２３とを有している。カップ１１は、火災感知器２よりも大きく形成されている。開口部２１の内周２１Ａには、弾性部材１２が固定されている。
【００１９】
弾性部材１２は、発泡プラスチック等の軽量な弾性材料から形成され、断面視矩形の環状に形成されている。発泡プラスチックとしては、例えば、ポリウレタンフォーム、ポリオレフィンフォーム、メラミンフォーム等が挙げられる。なお、弾性部材の材質はこれらに限定されず、火災感知器２から外れると火災感知器２に装着される前の形状に復元するものであれば他の材料でも構わない。
【００２０】
図３は、保護カバー１０が火災感知器２に装着されていない状態を（Ａ）に、保護カバー１０が火災感知器２に装着された状態を（Ｂ）に示す。火災感知器２に装着されていない状態で、弾性部材１２の内径Ｒ１は、火災感知器２の外周２Ａの外接円の直径Ｒ２よりも小さい。弾性部材１２の外径Ｒ３は、カップ１１の開口部２１の内径Ｒ４と略同一に形成されている。
【００２１】
以上のように構成された保護カバー１０において、取り付け及び取り外し手順につき図２及び図４を用いて説明する。火災感知器２に保護カバー１０を取り付けるには、図４に示すように、開口部２１を天井に向けてカップ１１を片手で把持する。弾性部材１２を火災感知器２と当接させ、カップ１１を回しながら天井１に向かって押し上げる。すると、図２に示すように、火災感知器２の外周２Ａの形状に倣って扁平して弾性部材１２が変形する。変形した弾性部材１２が復元しようとして外周２Ａを押圧する。これにより両者の間に摩擦力が生じ、保護カバー１０は火災感知器２に保持される。
【００２２】
このとき、弾性部材１２は、開口部２１の内周２１Ａと火災感知器２の外周２Ａとの間を密封している。なお、本明細書において、「弾性部材１２が開口部２１と火災感知器２の外周２Ａとの間を密封する」とは、気密や水密を有するように閉塞することではない。弾性部材１２の内周１２Ａが火災感知器２の外周２Ａと途切れなく接触していればよい。そのため、弾性部材１２は僅かに通気性を有する材料を含む。
【００２３】
火災感知器２から保護カバー１０を取り外すには、カップ１１を把持し、弾性部材１２の内周１２Ａと火災感知器２の外周Ａとの間の摩擦力を超える力で下方に引っ張る。
【００２４】
以上のように構成された保護カバー１０では、カップ１１と弾性部材１２という簡素な構成だけで火災感知器２を覆い隠すことができる。しかも、弾性部材１２は、種々の火災感知器２の外形に対応して変形可能である。そのため、保護カバー１０は、円柱や角柱等の火災感知器２に装着できる汎用性も備える。
【００２５】
さらに、カップ１１の開口部２１に弾性部材１２が固定されており、カップ１１を回しながら天井１に向かって押し上げるだけで火災感知器２に容易に装着することができる。保護カバー１０を保持する手段は、弾性部材１２の摩擦係合によるものである。そのため、摩擦力を超える力で引っ張るだけで容易に取り外すこともできる。
【００２６】
しかも、弾性部材１２の形状が弾性力によって復元するので、保護カバー１０は使い捨てることなく繰り返し使用することができる。また、カップ１１が火災感知器２よりも大きく、カップ１１と火災感知器２との間に十分な隙間が確保されている。そのため、溶接やガス切断のスパッタがカップ１１に当たっても、火災感知器２の外周２を損傷から保護することができる。
【００２７】
また、弾性部材１２が開口部２１と火災感知器２の外周２Ａとの間を密封しているので、施工の際の粉塵が火災感知器２に侵入することをより確実に防止することができる。しかも、弾性部材１２が発泡プラスチックであり、上記した優れた効果を奏する保護カバー１０を安価な構成で提供できる。
【００２８】
次に、第２から第５の実施形態の保護カバー１０について説明する。第１の実施形態の構成と同一又は類似の機能を有する構成は、同一の符号を付して対応する第１の実施形態の記載を参酌することとし、ここでの説明を省略する。また、下記に説明する以外の構成は、第１の実施形態と同一である。
【００２９】
本発明に係る第２の実施形態の保護カバー１０は、図５を参照して説明する。図５は、保護カバー１０が火災感知器２に装着されていない状態を（Ａ）に、保護カバー１０が火災感知器２に装着された状態を（Ｂ）に示す。第２の実施形態の保護カバー１０では、弾性部材１２の内周１２Ａが波状に形成される点が第１の実施形態と異なる。内周１２Ａの内接円は、火災感知器２の外周２Ａの外接円Ｒ２よりも小さい。この実施形態では、弾性部材１２の材質に合わせて反発力を細かく調整できる。
【００３０】
本発明に係る第３の実施形態の保護カバー１０は、図６を参照して説明する。図６は、保護カバー１０が火災感知器２に装着されていない状態を（Ａ）に、保護カバー１０が火災感知器２に装着された状態を（Ｂ）に示す。第３の実施形態の保護カバー１０では、弾性部材１２の内周１２Ａが直線状に形成され、平面視矩形の開口部を構成する点が第１の実施形態と異なる。内周１２Ａの内接円Ｒ６は、火災感知器２の外周２Ａの外接円Ｒ２よりも小さい。この実施形態は、四角柱状の火災感知器２に好適であり、開口部２１と火災感知器２の外周２Ａとの間を密封するように取り付けることができる。なお、円柱状の火災感知器２にも取り付けることができる。
【００３１】
本発明に係る第４の実施形態の保護カバー１０は、図７を参照して説明する。第４の実施形態の保護カバー１０は、カップ１１の底部２３に取り付けられ、カップ１１の外に向かって発光する光源をさらに備える点が第１の実施形態と異なる。光源は、例えばＬＥＤパッケージ１６に含まれるＬＥＤ素子１６Ａである。ＬＥＤパッケージ１６は、ＬＥＤ素子１６Ａに加え、電源１６Ｂ及び制御部１６Ｃを備える。制御部１６Ｃは発光パターンを制御し、例えば、光センサーと連動してＬＥＤ素子１６Ａを点滅させる。この実施形態では、カップ１１の外に向けて発光するＬＥＤ素子１６Ａが人目を引いて注意喚起する。そのため、施工後に保護カバー１０を取り外し忘れることを防止できる。
【００３２】
本発明に係る第５の実施形態の保護カバー１０は、図８を参照して説明する。第５の実施形態の保護カバー１０では、カップ１１から垂れ下がった紐１８をさらに備え、カップ１１が蓄光材料又は蛍光材料から形成される点が第１の実施形態と異なる。なお、本明細書において、「蓄光材料」とは、少なくとも材料が蓄光顔料を含有していればよい。「蛍光材料」とは、少なくとも材料が蛍光顔料を含有していればよい。この実施形態では、紐１８を引っ張って保護カバー１０をより容易に取り外すことができる。しかも、紐１８が人目を引くため、施工後に保護カバー１０を取り外し忘れることを防止できる。また、カップ１１が蓄光材料又は蛍光材料から形成され、着色されたカップ１１が人目を引くため、施工後に保護カバー１０を取り外し忘れることを防止できる。
【００３３】
なお、本発明の保護カバーは上記した実施形態に限られない。カップの形状は、角筒状であってもよいし、円錐台状であってもよいし、角錐台状であってもよいし、半球状であってもよい。蓄光顔料や蛍光顔料が印刷されたシールをカップに貼着してもよい。蓄光材料や蛍光材料から紐を成形してもよい。目印となるような札を紐の垂下端にぶら下げてもよい。光源を紐の垂下端にぶら下げてもよい。
以下に、本願出願の当初の特許請求の範囲に記載された発明を付記する。 
［１］天井に凸設された火災感知器を覆い隠すとともに、繰り返し着脱可能な保護カバーであって、天井に面した開口部及び火災感知器の外形よりも大きい収納容積を有したカップと、開口部の内周に固定され、火災感知器の外周形状に倣って扁平する柔軟性を有し、火災感知器と摩擦係合する弾性部材と、を備えることを特徴とする保護カバー。
［２］弾性部材は、開口部と火災感知器の外周との間を密封することを特徴とする［１］に記載の保護カバー。 
［３］弾性部材は、発泡プラスチックであることを特徴とする［１］又は［２］に記載の保護カバー。 
［４］カップから垂れ下がった紐をさらに備えることを特徴とする［１］から［３］のいずれか一つに記載の保護カバー。 
［５］カップの外に向けて発光する光源をさらに備えることを特徴とする［１］から［４］のいずれか一つに記載の保護カバー。 
［６］カップは、蓄光材料又は蛍光材料で形成されていることを特徴とする［１］から［５］のいずれか一つに記載の保護カバー。
【符号の説明】
【００３４】
１…天井、２…火災感知器、２Ａ…外周、１０…保護カバー、１１…カップ、１２…弾性部材、１６Ａ…光源、１８…紐、２１…開口部、２１Ａ…内周。
【要約】      （修正有）【課題】簡素な構成でありながら種々の火災感知器に装着できる汎用性を備え、再利用可能であるとともに、取り付け及び取り外し作業を片手で行える保護カバーを提供する。【解決手段】保護カバー１０は、天井に凸設された火災感知器２を覆い隠すとともに、繰り返し着脱可能であって、カップ１１と、弾性部材１２とを備えている。カップ１１は、天井に面した開口部２１及び火災感知器２の外形よりも大きい収納容積を有している。弾性部材１２は、開口部２１の内周２１Ａに固定され、火災感知器２の外周２Ａの形状に倣って扁平する柔軟性を有し、火災感知器２と摩擦係合する。【選択図】図２【図１】
0005828436.tif 000002
【図２】
0005828436.tif 000003
【図３】
0005828436.tif 000004
【図４】
0005828436.tif 000005
【図５】
0005828436.tif 000006
【図６】
0005828436.tif 000007
【図７】
0005828436.tif 000008
【図８】
0005828436.tif 000009